(57)【要約】      （修正有）【課題】片手でペットボトルのキャップ蓋部を開閉する事が出来るとともに、蓋部が簡単に外れず水蜜保持が可能なキャップ構造を提供する。【解決手段】ボトル本体と、ボトルキャップを有するペットボトルであり、ボトル本体３は円環凸部１５、１７と、蝶番用孔１１を設けた蝶番部９、円環部外周面と飲み口部５からなる首部１３を有し、ボトルキャップは、キャップ蓋部２１とキャップ下部２９からなり、ボトル本体の飲み口側でキャップ蓋部に連なる鉤凸部２３とキャップ下部のレバー３１の裏に設けられた鉤凹部３３が咬合し、その１８０度反対側で、蝶番用孔１１にキャップ蓋部から連らなる蝶番２５が系合し、キャップ下部は蝶番部周囲を左右自在に回動する為の開口４３が設けられ、開口上辺部にはキャップ蓋部を開蓋する際、蝶番に接触するための隅部に突起３７、３９を設けた。【選択図】図２
0003202534.tif 000002
【実用新案登録請求の範囲】
【請求項１】
ボトル本体と、ボトルキャップを有するペットボトルであり、前記ボトル本体は円環凸部と、蝶番用孔を設けた蝶番部、円環部外周面と飲み口部からなる首部を有するものであり、前記ボトルキャップは、キャップ蓋部とキャップ下部からなり、前記ボトル本体の飲み口側でキャップ蓋部に連なる鉤凸部と前記キャップ下部のレバー裏に設けられた鉤凹部が咬合し、その１８０度反対側で、前記蝶番部に設けられた蝶番用孔にキャップ蓋部から連らなる蝶番が系合し、前記キャップ下部は前記蝶番部周囲を左右自在に回動する為の開口が設けられ、この開口上辺部には前記キャップ蓋部を開蓋する際、蝶番に接触するための隅部に突起を設けた事を特徴とするペットボトル。
【考案の詳細な説明】
【技術分野】
【０００１】本考案は、ペットボトル構造に関し、特に傷病者や車の運転時などに際し、両手を使用出来ないなどの事態を回避すべく、僅少な力でキャップ蓋部が開閉でき、蓋部をは外す必要もなく飲め、且つ、キャップ蓋部が邪魔にならない構造を有するペットボトルに関する。
【背景技術】
【０００２】従来のペットボトルキャップは、一般的には飲料物を入れるボトル本体と、このボトル本体に取り付けられるボトルキャップとから構成されている。
ボトルキャップは、ボトル本体の首部の外周面に形成した雄ねじに螺合する雌ねじを備え、使用時には緩める方向に回されることでボトル本体の首部から取り外され、不要時には閉める方向に回すことでボトル本体の首部に取り付けられる。【０００３】また、これら従来のものより発意され、ボトルキャップが本体から外れないようにボトル本体に系止されるペットボトルのキャップ構造としては、以下の先行技術文献がある。
【先行技術文献】
【特許文献】
【０００４】
【特許文献１】実用新案登録第３１４１４２２号
【考案の概要】
【考案が解決しようとする課題】
【０００５】しかしながら、特許文献１記載のキャップ構造では出荷時にはキャップの蓋が開栓しないように、ビニールなどで蓋部分を封印しなくてはならず、結果として開封後の水蜜保持を確実のものとするには、根拠に乏しい。
また、落下させたりした場合などにも開栓し、内容物が飛散する事も考えられる。
そこで、これらの事態に直面しても片手で楽に開栓出来ると同時に、水蜜保持を維持できるものが望まれている。
【課題を解決するための手段】
【０００６】本考案は、ボトル本体とボトルキャップを有するペットボトルであり、前記ボトル本体は円環凸部と蝶番用孔を設けた蝶番部、円環部外周面と飲み口部からなる首部を有するものであり、前記ボトルキャップは、キャップ蓋部とキャップ下部からなり、前記ボトル本体の飲み口側でキャップ蓋部に連なる鉤凸部と、前記キャップ下部のレバー裏に設けられた鉤凹部が咬合し、その１８０度反対側で、前記蝶番部に設けられてる蝶番用孔にキャップ蓋部から連なる蝶番を回動可能に嵌入し、前記キャップ下部は前記蝶番部周囲を左右自自在に回動する為の開口が設けられ、この開口上辺部には前記キャップ蓋部を開蓋する際、蝶番に接する為の隅部に突起を設けた事を特徴とするペットボトルであり、製造するにあたり部材は主にポリエチレンテレフタレ、ポリプロピレン等で構成され、取付け取外しも簡単にでき、且つ、内容物を簡単快適に飲める事を目的とするものである。
【考案の効果】
【０００７】以上の説明から明らかなように、本考案にあっては次に列挙する効果が得られる。
本考案のペットボトルは、キャップ蓋部に触れる事なく、キャップ蓋部の鉤凸部が咬合されている鉤凹部を、親指でキャップ下部のレバーを下に軽く押し下げる事でロックが外れ、その上で軽微な力で左右どちらに回してもキャップ蓋部の蝶番にキャップ下部の突起が接触する事で蝶番が押し倒され、キャップ蓋部が真後ろに回動する仕組みである為、キャップ蓋部を握って捻るなどの動作は必要としない。
これらの事からも、例えば病気などで衰弱した人たちや高齢者が蓋を開けられないという様な事態や、車の運転中に両手を離さざるを得ない等といった状態を避ける事が出来る。【０００８】キャップ蓋部を閉める時はキャップ蓋部を人差し指などでキャップ蓋部をそのまま下方に押し下げる事でキャップ下部のレバー裏の鉤凹部に鉤凸部が系止される仕組みである。
また、ボトルキャップは、キャップ下部に対してキャップ蓋部の高さが低めに作られる事によって、ボトル本体の円環部外周面をキャップ蓋部が弾性によって乗り越えられやすくなり、開閉もよりスムーズとなる。【０００９】本考案は、ボトルキャップを２種提示しているが、キャップ蓋部タイプ１、キャップ下部タイプ１についてはキャップ下部の一部が谷形に低く、それに合わせてキャップ蓋の一部が山形に高くなっているが、その事により挿入されたボトル本体の飲み口部に唇が触れる面積を広幅化するなどの効果がある。
【図面の簡単な説明】
【００１０】
【図１】ペットボトルの右側面図である。
【図２】キャップ蓋部タイプＩ、キャップ下部タイプＩと、ボトル本体の一部を示す斜視図である。
【図３】図３は、キャップ蓋部タイプＩ、キャップ下部タイプＩを用いた、ペットボトルのの断面図である。
【図４】（ａ）は、キャップ下部のレバーを下に引き下げ、鉤凹部が鉤凸部から外れたところを示した図である。（ｂ）は、（ａ）の背面図である。
【図５】キャップ下部のレバーを左に回し、突起がキャップ蓋部の蝶番に接触し、開動しかけてる状態を示した正面図である。
【図６】左側の突起が蝶番の左側の表面に接触した事で押し倒され、キャップ蓋部が完全に開いた状態の背面図である。
【図７】（ａ）は、キャップ蓋部タイプＩＩの斜視図である。（ｂ）は指当て、蝶番の斜視図の拡大図である。（ｃ）は、キャップ下部タイプＩＩの右側面図である。（ｄ）は（ｃ）のａ方向矢視図である。
【図８】キャップ蓋部タイプＩＩ、キャップ下部タイプＩＩのペットボトルの開蓋状態の斜視図である。
【考案を実施するための形態】
【００１１】以下、本考案の実施の形態を図に基づいて説明する。
【００１２】図１は、本考案ペットボトルの全体像を示すものであり、ペットボトル１は、ボトル本体３と、このボトル本体３に取り付けられているボトルキャップ１９からなる。
【００１３】図２で示す様にキャップ蓋部２１の下面は背面から側面にかけて水平であるが、前面にかけて一部山形に下がっており、先端に鉤凸部２３が突設されている。後部は延出状の指当てから連らなる蝶番２５が設けられている。
次にキャップ下部２９について記述する。キャップ下部２９も環形状であるが、キャップ蓋部２１に合わせて前面が凹んでいる形状であり、この事によってペットボトル３の飲み口部５に唇が触れる面積を確保する構造である。
この形状をキャップ蓋部タイプＩ及びキャップ下部タイプＩとする。
キャップ下部２９の前面には、キャップ蓋部２１に突設されている鉤凸部２３が系止されるための鉤凹部３３が設けられたレバー３１があり、後ろには繋ぎ輪３５の左右に一部盛り上がる形でなだらかに突起ａ３７突起ｂ３９が設けられており、直ぐ下には開口４３がある。
また、キャップ蓋部は指で握る必要のない形状から、例えばキャップ蓋部の上面をハート型に模してみるとか、コラボレーション商品として各キャラクターデザインを模して販売する事で一層の拡販に資することができる。
【００１４】ボトルキャップ２種類のうち、ここでは前段に述べたキャップ蓋部タイプＩとキャップ下部下タイプＩについて記載してるが、先述した通りこのキャップ蓋部２１とキャップ下部２９については飲み口部５に唇が触れる面積を更に確保出来る形状のものであり、もう一つのものについては図７図８で説明するとともに、ボトル本体３については共有のものであり、どちらのボトルキャップ１９で利用しても構わない。これらの構造や仕組みに関しては図３で説明する。
【００１５】図２のボトル本体３は、首部１３に蝶番用孔１１を設けた蝶番部９が特徴であり、この後方に突き出た蝶番部９の幅に沿ってキャップ下部２９の開口４３の枠も作られている。
【００１６】図３は、閉蓋状態のペットボトル１の右向き縦断面図である。ボトル本体３の首部１３の円環凸部ａ１５にキャップ下部２９の円環凹部４１を嵌め込み、ボトル本体３の円環凸部ｂ１７によってキャップ下部２９は支えられており、前面のレバー３１に設けられている鉤凹部３３に、キャップ蓋部２１に突設されている鉤凸部２３が系止される仕組みであり背面の、ボトル本体３の蝶番部９には、キャップ蓋部２１の指当て２７から傾斜して伸びた蝶番２５が嵌入されるが、この蝶番２５が傾斜している事で円環部外周面７との間を繋ぎ輪３５が左右自在に回動し、突設された突起ａ３７突起ｂ３９が触れた際に開蓋する働きを軽微な力でもたらす事を可能とするものである。
キャップ蓋部２１はキャップ下部２９よりも低めの作りになっているが、この事により、円環部外周面７飲み口部５に対し、弾性によってキャップ蓋部２１が乗り越えられやすくなり、開閉がスムーズになる。
また、キャップ蓋部２１の裏蓋は飲み口部５、及び円環部外周面７の口径を覆う様な水漏れ防止の為の構造となっている。
ボトル本体３はポリエチレンテレフタレ、キャップ蓋部２１とキャップ下部２９はポリプロピレンなどで一体成形すれば、大量生産とコスト削減を計る事ができる。
【００１７】図４（ａ）は、ペットボトル１９の正面図であり、図が示す様にレバー３１に親指を当てて軽く下に押し下げ、鉤凹部３３を鉤凸部２３から外すが、ペットボトル未開封時はキャップ蓋部２１とキャップ下部２９が接する境界部４５を破断用小片４７で繋いでいる状態であり、開封状況をひと目で確認する事が出来る。
図４（ｂ）は、ペットボトルの閉蓋状態の背面図であるが、図が示す様に蝶番２５を突起ａ３７突起ｂ３９が挟み込む様な形で配置されている。また、この図ではキャップ下部２９の開口４３は蝶番部９の幅に揃えた切り込みになっているが、本考案を実施するにあたり、必ずしも限定されるものではなく、蝶番部９蝶番２５の構造も含め、状況に応じての改良をしても良い。
【００１８】図５は、図４（ａ）の状態からレバー３１を左に回し、開蓋仕掛けた状態を示したものであり、この時境界部４５の破断用小片４７が破断される。
【００１９】図６は、完全に開蓋した状態を背面から見た図である。この時、左の突起ｂ３９が蝶番２５に接触し、蝶番２５を系止するが、内容物を飲み込む時は指当て２７に人差し指をかける事により、一層安定した開蓋状態を保つ事も出来る。
【００２０】図７は、００１４で触れた通り、キャップ閉蓋２１、キャップ下部２９のタイプＩＩである。（ａ）は、キャップ閉蓋タイプＩと異なるところとしては、背面から前面にかけて平らであり（ｃ）（ｄ）のキャップ下部タイプＩＩも飲み口を必要以上に確保するための凹みがなく、ボトルキャップ１９の境界部４５が水平状に接するシンプルなものである。
（ｂ）は、キャップ蓋部タイプＩＩの蝶番２５の拡大図ではあるが、先述してる通り、キャップ蓋部タイプＩも同様の構造である。
【００２１】図８は、蓋が完全に開いた状態であり、蝶番部９に蝶着されている蝶番２５が突起ａ３７によってしっかり系止されている事が分かる。なお、内容物を飲む時にキャップ蓋部２１が鼻に当たらない様に大きく開く事が好ましく、１３０度〜１５０度程開けば十分快適に内容物を飲む事が出来る。
また、図４（ｂ）図７（ｄ）を併せて見ると分かりやすいが、キャップ下部２９の開口４３の下側はボトル本体３への装着の都合上、ボトル本体３の蝶番部９の幅に合わせて一部カットされている。これを踏まえ一般的なボトルキャップの直径約２・８センチ程に従ってキャップ下部２９を八分円として見た場合、半径０センチから４５度分の欠設幅は約１センチ程となり、蝶番部９の幅も同様の１センチ程までであればボトル２９を真上から嵌め込む際、滑合いする事によりスムーズに装着する事が出来る。また、残る３１５度の残部はボトル本体３の首部１３を被覆するため、枢着する円環凸部ａ１５と円環凹部４１の関わりなどにより、ぐらつく事なく常に安定した状態を保持する構造のペットボトルである。
【符号の説明】
【００２２】１    ペットボトル
３    ボトル本体
５    飲み口部
７    円環部外周面
９    蝶番部
１１  蝶番用孔
１３  首部
１５  円環凸部ａ
１７  円環凸部ｂ
１９  ボトルキャップ
２１  キャップ蓋部
２３  鉤凸部
２５  蝶番
２７  指当て
２９  キャップ下部
３１  レバー
３３  鉤凹部
３５  繋ぎ輪
３７  突起ａ
３９  突起ｂ
４１  円環凹部
４３  開口
４５  境界部
４７  破断用小片
【図１】
0003202534.tif 000003
【図２】
0003202534.tif 000004
【図３】
0003202534.tif 000005
【図４】
0003202534.tif 000006
【図５】
0003202534.tif 000007
【図６】
0003202534.tif 000008
【図７】
0003202534.tif 000009
【図８】
0003202534.tif 000010